(57)【要約】【課題】主に、ハーネスやコネクタに対する固定作業の作業性を大幅に向上し得るようにする。【解決手段】ハーネス２５と、ハーネス２５の端部に取付けられたコネクタ２６とを固定可能なクリップ本体２７を備えたコネクタ等固定部構造であって、クリップ本体２７が、ハーネス２５を収容可能なハーネス収容部３１と、コネクタ２６を収容保持可能なコネクタ収容保持部３２とを有し、クリップ本体２７が、ハーネス２５とコネクタ２６とを、それぞれコネクタ収容保持部３２内へ挿入可能な挿入口部３３を有すると共に、クリップ本体２７が、ハーネス２５のみを、コネクタ収容保持部３２からハーネス収容部３１へと移動可能なハーネス移動部３４を有し、コネクタ２６を、コネクタ収容保持部３２内に収容保持することにより、ハーネス移動部３４を閉止可能な閉止部材３５とするようにしている。【選択図】図７
2010233371.tif 000002
【特許請求の範囲】
【請求項１】
ハーネスと、該ハーネスの端部に取付けられたコネクタとを固定可能なクリップ本体を備えたコネクタ等固定部構造において、
前記クリップ本体が、ハーネスを収容可能なハーネス収容部とコネクタを収容保持可能なコネクタ収容保持部とを有し、
前記クリップ本体が、ハーネスとコネクタとを、それぞれ前記コネクタ収容保持部内へ挿入可能な挿入口部を有すると共に、
前記クリップ本体が、ハーネスのみを、前記コネクタ収容保持部からハーネス収容部へと移動可能なハーネス移動部を有し、
前記コネクタを、コネクタ収容保持部内に収容保持することによって、前記ハーネス移動部を閉止可能な閉止部材となるように構成したことを特徴とするコネクタ等固定部構造。
【請求項２】
前記コネクタ収容保持部とハーネス収容部との間に両者を仕切る仕切壁が設けられると共に、
前記ハーネス移動部が、仕切壁に形成されたことを特徴とする請求項１記載のコネクタ等固定部材構造。
【請求項３】
前記コネクタ収容保持部に、前記コネクタを保持固定可能なコネクタ保持部が設けられ、
該コネクタ保持部が、
前記挿入口部に設けられて、コネクタを係止可能なコネクタ係止爪部と、
前記コネクタ収容保持部に設けられて、コネクタを包持可能なコネクタ包持壁部との、
少なくとも一方を備えたことを特徴とする請求項１または２記載のコネクタ等固定部材構造。
【請求項４】
前記コネクタ収容保持部とコネクタとの間に、両者を位置決め状態で固定可能な位置決め固定部を設けたことを特徴とする請求項１ないし３のいずれか１項に記載のコネクタ等固定部材構造。
【請求項５】
前記クリップ本体に、ハーネス収容部から側方へ張出すことにより、クリップ本体から側方へ突出したハーネスの側方突出部分の位置を規制可能なハーネス位置規制部を設けたことを特徴とする請求項１ないし４のいずれか１項に記載のコネクタ等固定部材構造。
【請求項６】
前記クリップ本体に、クリップ本体を取付ける取付部位の形状に適合させるための取付部適合形状部を設けたことを特徴とする請求項１ないし５のいずれか１項に記載のコネクタ等固定部材構造。
【請求項７】
請求項１ないし請求項６のいずれか１項に記載のクリップ本体に対し、ハーネスを、挿入口部を介してコネクタ収容保持部内へ挿入し、次に、ハーネス移動部を介してコネクタ収容保持部からハーネス収容部へと移動するハーネス収容作業と、
クリップ本体に対し、コネクタを、挿入口部を介してコネクタ収容保持部内へ挿入するコネクタ収容作業とを順に行い、
コネクタ収容保持部内に収容保持されたコネクタを閉止部材として、ハーネス移動部を閉止することにより、ハーネス収容部からハーネスを取出せない状態にして、ハーネスとコネクタとを、クリップ本体に保持させるようにすることを特徴とするコネクタ等の固定方法。
【発明の詳細な説明】
【技術分野】
【０００１】
この発明は、コネクタ等固定部材構造に関するものである。
【背景技術】
【０００２】
例えば、自動車などの車両の製造においては、組立の容易化を図るために、各種のサブ部品を予め製作しておくと共に、これらのサブ部品を後から組合せることによって１つの部品や装置などを完成する工法が採用されている。このようなサブ部品どうしを組合せる際には、サブ部品から延ばしてきたハーネスどうしを、コネクタを用いて接続することが多い。そして、コネクタの接続後は、コネクタやハーネスが他の部品などに接触して異音を発生したり、破損を引き起こしたりすることのないように、コネクタやハーネスを固定する必要がある。そして、コネクタやハーネスを固定する場合、部品個数や組立工数を削減するために、コネクタやハーネスなどを固定する手段を、可能な限り簡素なものとすることが望まれている。
【０００３】
コネクタやハーネスなどに対する固定手段としては、従来、特許文献１に記載されたようなものが知られている。
【０００４】
この固定手段（バンドクランプ）は、ブロック状の固定部本体と、この固定部本体の一側部から一側方へ向けて延設されたバンド部とを備えている。固定部本体の内部には、バンド部の延設方向へ延びてバンド部を挿通可能なバンド挿通孔が貫通形成されている。更に、バンド部には、延設方向に沿い所定の（または一定の）間隔を有して多数の係止用爪部が形成され、また、バンド挿通孔の内部などには、バンド部の係止用爪部に係止してバンド部の抜出を防止可能な図示しない抜止用爪部が設けられている。
【０００５】
また、ロック部として、固定部本体の一面には、ハーネスに接続されたコネクタのロック用受部に対して差込固定可能なロック用差込部が設けられている。
【０００６】
更に、固定部本体の他面には、取付部位に形成された取付用孔部に対して挿通および係止可能なアンカー部が設けられている。
【０００７】
このような構成によれば、ハーネスに接続されたコネクタのロック用受部に対して、固定部本体の一面に設けられたロック用差込部を差込むことによって、コネクタに固定部本体を固定する。そして、バンド部をコネクタおよびハーネスに巻き付けて他側部の側からバンド挿通孔へ挿通し、バンド部の係止用爪部を固定部本体の抜止用爪部に係止させることにより、バンド部でコネクタとハーネスとを結束固定する。最後に、取付部位に形成された取付用孔部に対して固定部本体の他面に設けられたアンカー部を挿通および係止させることにより、固定部本体を取付部位に固定する。
【先行技術文献】
【特許文献】
【０００８】
【特許文献１】特許第３２２８２０３号
【発明の概要】
【発明が解決しようとする課題】
【０００９】
しかしながら、上記特許文献１に記載された固定手段には、以下のような問題があった。
【００１０】
即ち、例えば、内部でコネクタを結合する作業ができないような狭い開口部に対して、２本のハーネスを接続し、且つ、収容固定する場合、２本のハーネスを余長部を有して狭い開口部から外側へ引出すと共に、各ハーネス（の余長部）の端部にそれぞれ取付けられた雌雄のコネクタを開口部の外側で嵌合することによって接続し、更に、コネクタとハーネスとをその開口部内に収容して固定することになる。
【００１１】
この場合に、上記した固定手段（バンドクランプ）を用いると、（ａ）開口部の外側で、バンド部の先端を固定部本体のバンド挿通孔へ通して輪を作る。（ｂ）バンド部の輪の両側から輪の内部を通して雌雄のコネクタを接続する。（ｃ）雌雄のコネクタを、固定部本体に対し、上記したロック用受部とロック用差込部とを利用して固定する。（ｄ）固定部本体をコネクタおよびハーネスと共に開口部内に収容、固定する。（ｅ）各ハーネスを適宜折曲げてバンド部の輪の内側にまとめる。（ｆ）輪を縮めてバンド部でハーネスと雌雄のコネクタとを縛り、最後に、バンド部の開口部から突出した部分を切断する。という一連の作業を行うことになる。
【００１２】
しかし、この一連の作業は、手順が多く、しかも、狭い開口部内での細かい手作業を数多く強いられることになるため、作業性が悪いという問題があった。
【課題を解決するための手段】
【００１３】
上記課題を解決するために、本発明は、ハーネスと、該ハーネスの端部に取付けられたコネクタとを固定可能なクリップ本体を備えたコネクタ等固定部材構造において、前記クリップ本体が、ハーネスを収容可能なハーネス収容部と、コネクタを収容保持可能なコネクタ収容保持部とを有し、前記クリップ本体が、ハーネスとコネクタとを、それぞれ前記コネクタ収容保持部内へ挿入可能な挿入口部を有すると共に、前記クリップ本体が、ハーネスのみを、前記コネクタ収容保持部からハーネス収容部へと移動可能なハーネス移動部を有し、前記コネクタを、コネクタ収容保持部内に収容保持することによって、前記ハーネス移動部を閉止可能な閉止部材となるように構成したことを特徴としている。
【発明の効果】
【００１４】
本発明によれば、上記構成によって、以下のような作用効果を得ることができる。即ち、クリップ本体が、ハーネス収容部とコネクタ収容保持部とを有することにより、ハーネスとコネクタとを、決められたスペースにまとまり良く整然と収容することが可能となり、これまで行われていたような、ハーネスをまとめてバンドで縛る作業や、バンドの余りを切断する作業などをなくすことができるようになるので、ハーネスやコネクタに対する固定作業の作業性を大幅に向上することができる。
【図面の簡単な説明】
【００１５】
【図１】本発明の実施例にかかる基本的なコネクタ等固定部材構造の側面図である。
【図２】（ａ）（ｂ）（ｃ）は、図１の作動図である。
【図３】図１の仕切壁を有する変形例であり、（ａ）は側面図、（ｂ）は斜視図である。
【図４】（ａ）（ｂ）は、図２のコネクタ保持部の変形例を示す側面図である。
【図５】コネクタ収容保持部とコネクタとの間に位置決め固定部が設けられた変形例を示す分解斜視図である。
【図６】ハーネス位置規制部を有する図２の変形例であり、（ａ）はコネクタ等固定部材構造単独状態の斜視図、（ｂ）はハーネスやコネクタを取付けた状態の斜視図である。
【図７】図６のハーネス位置規制部の全体の横方向の長さを示す正面図である。
【図８】図６のハーネス位置規制部の縦方向の寸法を示す正面図である。
【図９】図６のハーネス位置規制部のそれぞれ横方向の長さを示す正面図である。
【図１０】図６のハーネス位置規制部の端部と、開口部との間の横方向の隙間を示す正面図である。
【図１１】（ａ）（ｂ）は、別のハーネス位置規制部を有する図６の変形例を示す斜視図である。
【図１２】取付部適合形状部を有する図６の変形例であり、（ａ）は斜視図、（ｂ）は側面図である。
【図１３】（ａ）（ｂ）（ｃ）は、取付部適合形状部の機能を説明する、取付部位にコネクタ等固定部材構造を取付けた状態を示す図である。
【図１４】円弧形状部分を有する取付部位の具体例を示す斜視図である。
【図１５】図１４の部分拡大斜視図である。
【図１６】カバー部材が取付けられた図１５と同様の部分拡大斜視図である。
【図１７】コネクタ等固定部材構造を取付けた状態を示す図１５と同様の部分拡大斜視図である。
【図１８】図１７の部分拡大斜視図である。
【図１９】カバー部材が取付けられた図１７と同様の部分拡大斜視図である。
【図２０】（ａ）〜（ｄ）はコネクタ等固定部材構造を取付ける手順を示す工程図である。
【発明を実施するための形態】
【００１６】
本発明は、主に、ハーネスやコネクタに対する固定作業の作業性を大幅に向上し得るようにすることを目的としている。
【００１７】
以下、本発明を具体化した実施例について、図示例と共に説明する。
【実施例】
【００１８】
図１〜図２０は、この発明の実施例およびその変形例を示すものである。
【００１９】
＜構成＞
まず、装置の構成について説明する。
【００２０】
（構成１）図１〜図２または図３に示すように、ハーネス２５（ワイヤーハーネスまたは電気ケーブルなど）と、このハーネス２５の端部に取付けられたコネクタ２６とを固定可能なクリップ本体２７を備えたコネクタ等固定部材２８が設けられる。
【００２１】
そして、上記したクリップ本体２７が、ハーネス２５を収容可能なハーネス収容部３１と、コネクタ２６を収容保持可能なコネクタ収容保持部３２とを有している。また、上記したクリップ本体２７が、ハーネス２５とコネクタ２６とを、それぞれコネクタ収容保持部３２内へ挿入可能な挿入口部３３を有している。また、上記したクリップ本体２７が、ハーネス２５のみを、コネクタ収容保持部３２からハーネス収容部３１へと移動可能なハーネス移動部３４を有している。更に、上記したコネクタ２６を、上記したコネクタ収容保持部３２内に収容保持することによって、ハーネス移動部３４を閉止可能な閉止部材３５となるように構成している。
【００２２】
ここで、クリップ本体２７は、ハーネス２５とコネクタ２６とを同時に固定（一緒にまとめて固縛状態で保持）可能なものとなっている。クリップ本体２７は、樹脂製のものとされている（樹脂製クリップ部材）。この樹脂製のクリップ本体２７は、所要の形状保持性を有する硬質のものとされると共に、所要の弾性変形能を有するものとされている。このクリップ本体２７は、基本的に、奥行方向３７（クリップ厚み方向）に所要の間隔を有して配置された一対の前壁部３８および後壁部３９と、縦方向２９（クリップ上下方向またはクリップ高さ方向）に所要の間隔を有して配置された一対の上壁部４１および下壁部４２とを有している。そして、これら、前壁部３８および後壁部３９と、上壁部４１および下壁部４２とは、横方向４３（クリップ幅方向）から見てほぼ枠形状となるように組合わされると共に、一体化されている。
【００２３】
この場合、ほぼ枠形状のクリップ本体２７は、一対の前壁部３８および後壁部３９をほぼ平行な面（長辺部分）とし、また、一対の上壁部４１および下壁部４２をほぼ平行な面（短辺部分）とすることによって、横方向４３から見て、縦方向２９に長いほぼ長方形状となるように構成されている。このほぼ枠形状をしたクリップ本体２７は、上記した前壁部３８および後壁部３９と、上壁部４１および下壁部４２とが、基本的にほぼ均一の肉厚となるように構成されている。ほぼ枠形状のクリップ本体２７は、内外面のコーナー部などに対して、応力集中を防止可能なアール形状部などを適宜設けることができる。また、枠形状のクリップ本体２７は、ハーネス２５とコネクタ２６とを、まとめて固縛状態で保持するのに最適な横方向４３の寸法を有するものとされている。
【００２４】
そして、上記したコネクタ収容保持部３２とハーネス収容部３１とは、このほぼ枠形状をしたクリップ本体２７の内部空間に形成されている。ハーネス収容部３１は、クリップ本体２７の縦方向２９の下側の位置（低い位置または奥側の位置）に設けられ、コネクタ収容保持部３２は、クリップ本体２７の縦方向２９の上側の位置（高い位置または手前側の位置）に設けられている。コネクタ収容保持部３２とハーネス収容部３１とは、横方向４３に対して均一に延びる空間とされている。これにより、このほぼ枠形状のクリップ本体２７の横方向４３の両側面には、コネクタ収容保持部３２とハーネス収容部３１とによる開口部が形成される。
【００２５】
また、上記したコネクタ等固定部材２８は、クリップ本体２７の下側に、図示しない取付部位に形成された取付用孔部に対して挿通および係止可能なアンカー部４５を備えている。このアンカー部４５は、クリップ本体２７の下壁部４２に一体に形成される。このアンカー部４５は、必要に応じて、１箇所または複数箇所設けられる（図１１（ｂ）参照）。アンカー部４５を１箇所設ける場合には、アンカー部４５は、下壁部４２の中心部に設けるようにするのが好ましい。また、アンカー部４５を複数箇所設ける場合には、アンカー部４５は、下壁部４２（後述するハーネス位置規制部７９を含む）などに対して、均等に位置を割り振って設けるようにするのが好ましい。この場合、アンカー部４５は、下壁部４２の下面側から、ほぼ面直下方へ向けて一体に突設形成された軸状部４６と、この軸状部４６の外周面に単段または多段に設けられた抜止用爪部４７とを備えたものなどとされている。なお、軸状部４６の下端部には、上記した取付用孔部への挿入を案内するための先細形状のガイドテーパ部４８を形成することができる。
【００２６】
そして、上記した挿入口部３３は、ほぼ枠形状を有するクリップ本体２７のコネクタ収容保持部３２を一部切欠くことによって形成される（挿入口形成用切欠部）。例えば、図１〜図２または図３では、コネクタ２６などを奥行方向３７や、奥行方向３７および縦方向２９に対して斜めに挿入し得るようにするために、挿入口部３３は、前壁部３８における、コネクタ収容保持部３２の部分（上側部分）に設けるようにしている。これに対し、図４（ａ）に示すように、コネクタ２６などを縦方向２９の上側から挿入し得るようにするために、挿入口部３３を、上壁部４１の部分に設けるようにしても良い。この場合には、上壁部４１のほぼ全体を切欠くことによって挿入口部３３を設けるようにしている。挿入口部３３は、ハーネス２５とコネクタ２６とを通し得る最小限の大きさとするのが好ましい。このように挿入口部３３を設けることによって、上記したほぼ枠形状のクリップ本体２７は、閉断面構造ではなく開断面構造を有するものとなる。
【００２７】
また、上記したハーネス移動部３４は、ハーネス２５の直径とほぼ同じかそれよりも幅の広いハーネス通路となるように構成される。また、ハーネス収容部３１には、ハーネス移動部３４から移動されたハーネス２５を、ハーネス移動部３４の付近に停滞させることなく奥行方向３７の奥側へと向けて案内し得るようにするためのハーネス案内部５１を設けることができる。この場合、ハーネス案内部５１は、前壁部３８の内面における、ハーネス収容部３１の部分に設けられた、縦方向２９の下側へ進むに従い奥行方向３７の奥側へと向かうガイド斜面部などとされている。このガイド斜面部は、前壁部３８の上記部分を、縦方向２９の下側へ進むに従い徐々に肉厚になる肉厚増加部とすることによって構成されている。
【００２８】
そして、図１に示すように、ハーネス移動部３４を、クリップ本体２７内部の奥行方向３７の全域に亘る大きさを有するものとすることにより、上記したコネクタ収容保持部３２とハーネス収容部３１とを一つに連結して間仕切られないようにすることができる。この場合には、後述する仕切壁５３は、事実上存在しないことになる。
【００２９】
（構成２）或いは、図３に示すように、クリップ本体２７の内部に、上記したコネクタ収容保持部３２とハーネス収容部３１との間に両者を仕切る仕切壁５３を設けるようにしても良い。そして、上記したハーネス移動部３４が、仕切壁５３に対して（切欠）形成されるようにする（ハーネス挿入用切欠部、または、ハーネス通路）。
【００３０】
この場合には、仕切壁５３は、後壁部３９から前壁部３８へ向けて奥行方向３７へ面直に延びるものとされている。また、ハーネス移動部３４は、仕切壁５３における、前壁部３８側の部分を切欠いて設けられている。即ち、上記したコネクタ収容保持部３２とハーネス収容部３１とは、部分的に連通されて間仕切られた状態となる。
【００３１】
（構成３）そして、上記したコネクタ収容保持部３２に、コネクタ２６を保持固定可能なコネクタ保持部５５が設けられるようにする。このコネクタ保持部５５が、上記した挿入口部３３に設けられて、コネクタ２６を係止可能なコネクタ係止爪部５６と、上記したコネクタ収容保持部３２に設けられて、コネクタ２６を包持可能なコネクタ包持壁部５７との、少なくとも一方を備えるようにする。
【００３２】
ここで、コネクタ係止爪部５６は、挿入口部３３の縁部に設けられている。例えば、図１、図３では、コネクタ係止爪部５６は、前壁部３８の部分（切欠かれた上縁部）に対し上方へ向くように設けられている。反対に、図４（ｂ）に示すように、コネクタ係止爪部５６は、上壁部４１の部分（図中前縁部）に対し下方へ向くように設けても良い。また、図４（ａ）では、コネクタ係止爪部５６は、後壁部３９の部分（切欠かれた上縁部）に対し前壁部３８の側へ向くように設けられている。コネクタ係止爪部５６は、コネクタ２６のコーナー部などを係止するように構成されている。
【００３３】
なお、挿入口部３３に、コネクタ２６を斜め横方向４３から挿入し得るようにする場合などには、挿入口部３３のコネクタ係止爪部５６と対向する側の縁部に対して、コネクタ２６の挿入および離脱をガイド可能なテーパ部５８を設けるようにしても良い。この場合、テーパ部５８は、挿入口部３３へ向かうに従い内面側の肉厚が徐々に肉薄となる肉厚減少部とされている。
【００３４】
また、コネクタ包持壁部５７は、コネクタ保持部５５の内部形状および大きさを、コネクタ２６の外形形状とほぼ一致させることによって、コネクタ２６を包持し得るように構成される（コネクタ合致形状部）。なお、図３（ｃ）では、コネクタ２６とコネクタ収容保持部３２との間に若干の隙間を有するように描かれているが、コネクタ保持部５５としてコネクタ包持壁部５７を設けない場合にはこのようにしても良い。反対に、コネクタ保持部５５としてコネクタ包持壁部５７を設ける場合には、この隙間は、なくすようにする。この場合、コネクタ２６は、縦方向２９を短辺とし、奥行方向３７を長辺とする矩形断面を有するものとされているため、コネクタ包持壁部５７も、コネクタ２６と対応する矩形状部分を有して、コネクタ２６に（少なくとも二辺で）面接触し得るものとしている。
【００３５】
更に、コネクタ保持部５５としてのコネクタ包持壁部５７は、コネクタ２６が縦方向２９、奥行方向３７、横方向４３のそれぞれに対して、動かないように保持し得るようなものとする。そのために、コネクタ包持壁部５７は、弾性変形許容部５９を備えるようにする。弾性変形許容部５９は、コネクタ保持部５５の肉厚を最適な弾性変形能を有するように設定することによって構成することができる。また、弾性変形許容部５９は、例えば、図３（ｂ）に示すように、上記した仕切壁５３を、先端側へ向けて横方向４３の寸法（幅寸法）が狭くなる先細形状部とすることなどによっても構成することができる。
【００３６】
なお、ハーネス収容部３１に対しても、上記と同様の弾性変形許容部６１を設けることができる。この弾性変形許容部６１は、ハーネス収容部３１を構成する壁部（前壁部３８や、後壁部３９や、仕切壁５３など）の肉厚を最適な弾性変形能を有するように設定することによって構成することができる。また、例えば、弾性変形許容部６１として、後壁部３９における、ハーネス収容部３１と対応する部分の両側部などに括れ部６２を設けることもできる。なお、この括れ部６２は、組付けの際などにハーネス２５の位置を安定化可能なハーネス位置安定化部としても機能し得るものとなる。或いは、弾性変形許容部６１として、前壁部３８における、ハーネス収容部３１と対応する部分に、上方へ進むに従い横方向４３の幅寸法が狭くなる先細形状部６３を設けることもできる。
【００３７】
（構成４）図５に示すように、上記したコネクタ収容保持部３２とコネクタ２６との間に、両者を位置決め状態で固定可能な位置決め固定部６５を設けるようにする。
【００３８】
この位置決め固定部６５は、コネクタ収容保持部３２とコネクタ２６との、どちらか一方に設けた位置決め用突起部６６と、他方に設けた突起収容部６７とすることができる。突起収容部６７は、位置決め用突起部６６と対応する大きさおよび形状を有して、位置決め用突起部６６が嵌合、合致可能な凹部などとする。
【００３９】
この場合、位置決め用突起部６６は、後壁部３９の内面における、コネクタ収容保持部３２の部分に一体に凹設形成されている。特に、位置決め用突起部６６は、コネクタ収容保持部３２の、縦方向２９および横方向４３のそれぞれのほぼ中央位置に設けられている。また、突起収容部６７は、コネクタ２６の後壁部３９に接する側面の、位置決め用突起部６６と対応する位置に一体に突出形成されている。但し、説明の都合上、突起収容部６７が手前に位置するように、コネクタ２６の向きを変えて描いている。
【００４０】
（構成５）図６に示すように、クリップ本体２７に、ハーネス収容部３１から側方へ張出すことにより、クリップ本体２７から側方へ突出したハーネス２５の側方突出部分の位置を規制可能なハーネス位置規制部６９を設けるようにする。
【００４１】
ここで、ハーネス位置規制部６９は、ハーネス２５の側方突出部分の（外部への）はみ出しを防止可能なハミ出し防止部材などとされる。この場合、ハーネス位置規制部６９は、前壁部３８と平行な面を有して延びるフラップ状物などとされている。ハーネス位置規制部６９は、挿入口部３３に対するハーネス２５やコネクタ２６の挿入方向などとの関係で、より有効に機能するよう、コネクタ収容保持部３２の挿入口部３３に近い部分の両側部から一体に突設させるようにしている。この場合、ハーネス位置規制部６９は、前壁部３８に対して、ほぼ面一状態となるように設けられている。
【００４２】
ここで、図７に示すように、ハーネス位置規制部６９は、コネクタ２６を安定して保持し、また、コネクタ２６を保護し得るようにするために、両方の合計の長さ（横方向４３の長さＷ1）が、コネクタ２６の全長（Ｗ0）より、僅かにでも大きくなるように構成する（Ｗ1＞Ｗ0）。そして、各ハーネス位置規制部６９は、コネクタ収容保持部３２に収容保持されたコネクタ２６の横方向４３の両端部よりも、横方向４３に対して突出するように構成する。
【００４３】
また、図８に示すように、ハーネス位置規制部６９は、その縦方向２９の寸法（Ｈ1）が、その上下に形成される隙間７１，７２からのハーネス２５のはみ出しを防止可能な大きさとなるように構成する。即ち、クリップ本体２７を取付ける取付部位７３とハーネス位置規制部６９の下側の縁部との縦方向２９の隙間７１、（Ｈ2）および、ハーネス位置規制部６９の上側の縁部とクリップ本体２７に取付けた後のコネクタ２６の下側の縁部との縦方向２９の隙間７２（Ｈ3）が、それぞれハーネス２５の直径（Ｄ0（図９参照））よりも狭くなるようにする（０＜Ｈ2，Ｈ3＜Ｄ0）。
【００４４】
更に、図９に示すように、ハーネス位置規制部６９は、収容したハーネス２５の端部の横方向４３からのはみ出しを防止し得るようにするために、各ハーネス位置規制部６９の長さ（Ｗ2，Ｗ3）が、折畳み状態とした時のハーネス２５の横方向４３の最大突出長さ（Ｌ2，Ｌ3）よりもそれぞれ大きくなるように構成する（Ｌ2＜Ｗ2，Ｌ3＜Ｗ3）。
【００４５】
または、図１０に示すように、取付部位７３が開口部７４である場合に、ハーネス位置規制部６９は、コネクタ等固定部材２８を開口部７４に取付けられるようにするため、および、収容したハーネス２５の端部の横方向４３からのはみ出しを防止し得るようにするために、各ハーネス位置規制部６９の端部と、開口部７４との間の横方向４３の隙間７５，７６（Ｓ1，Ｓ2）がそれぞれハーネス２５の直径（Ｄ0）よりも狭くなるようにする（０＜Ｓ1，Ｓ2＜Ｄ0）。なお、図９と図１０の構成は、どちらか一方の条件を満たしていれば良い。
【００４６】
更に、図１１（ａ）に示すように、上記と同様の別のハーネス位置規制部７７を、後壁部３９（のハーネス収容部３１）の部分に対して設けるようにしても良い。この場合、ハーネス位置規制部７７は、後壁部３９と一体に、面一状態で設けられている。
【００４７】
そして、各ハーネス位置規制部６９，７７に対して、弾性変形許容部７８を設けるようにしても良い。この場合、弾性変形許容部７８は、ハーネス位置規制部７７に対して設けるようにしている。この弾性変形許容部７８は、ハーネス位置規制部７７と後壁部３９（の両側部）との境界部分に対してそれぞれ切欠部を設けることによって構成している。なお、弾性変形許容部７８は、ハーネス位置規制部６９に対して設けるようにすることもできる。また、弾性変形許容部７８は、一箇所または数箇所設けることもできる。弾性変形許容部７８は、上記以外の位置に設けることもできる。
【００４８】
また、図１１（ｂ）に示すように、上記と同様の別のハーネス位置規制部７９を、下壁部４２（のハーネス収容部３１）の部分に対して設けるようにしても良い。この場合、ハーネス位置規制部７９は、下壁部４２と一体に、面一状態で設けられている。そして、ハーネス位置規制部７９は、ハーネス位置規制部６９とハーネス位置規制部７７との下側の縁部間を連結することにより、全体として、上向きコ字形状のハーネス位置規制用受形状部を構成するようにしている。
【００４９】
（構成６）図１２に示すように、クリップ本体２７に、クリップ本体２７を取付ける取付部位７３の形状に適合させるための取付部適合形状部８１を設けるようにする。
【００５０】
例えば、クリップ本体２７を取付ける取付部位７３が、図１３（ａ）に示すように、ハーネス位置規制部６９と対応する部分（前側部分）に前方へ突出する円弧形状部分８２を有し、更に、図１３（ｂ）に示すように、この円弧形状部分８２の曲率が小さいことにより、ハーネス位置規制部６９の両端部が円弧形状部分８２から外側にはみ出すおそれがあるような場合に、図１３（ｃ）に示すように、クリップ本体２７の前壁部３８の外面に、取付部適合形状部８１としての面外張出部８３を、所要の突出量を有して突設して、面外張出部８３の突出量の分だけ、クリップ本体２７やハーネス位置規制部６９が後側の位置に設置されるように構成する。これによって、クリップ本体２７を円弧形状部分８２に沿った形状として、ハーネス位置規制部６９の両端部が取付部位７３の外側にはみ出さないよう、クリップ本体２７を取付部位７３に設置し得るものとすることが可能となる。
【００５１】
なお、特に図示しないが、上記と同様の取付部適合形状部８１は、取付部位７３の状況に応じて、ハーネス位置規制部６９や、クリップ本体２７の他の部分などに対して設けることもできる。
【００５２】
図１４〜図１９は、上記したような円弧形状部分８２を有する取付部位７３の具体例を示すものである。図１４は、円筒形のハウジング８５の内部に、同心状にバスリングなどと呼ばれる（周）壁部８６と、多数のコイル装置を周方向に配設してなるコイル群８７とが内周側へ向って順に配設されると共に、ハウジング８５の端面にカバー部材８８（図１６参照）が取付けられた駆動装置８９を示している。
【００５３】
そして、図１５、図１６に示すように、上記した取付部位７３としての狭い開口部７４が、円筒形のハウジング８５のカバー部材８８に接する部分を側面視ほぼ上向きコ字状に切欠くことによって形成されている。この場合、ハウジング８５の外周面が上記した円弧形状部分８２に相当する。また、開口部７４のカバー部材８８と対向する部分（下面部分）には、アンカー部４５を固定するための取付用孔部９１が形成されている。この場合、取付用孔部９１はネジ孔とされている。これに対し、アンカー部４５は、ネジ孔に係合するピッチで多段に設けられた抜止用爪部４７とされている。
【００５４】
更に、上記した壁部８６には、２箇所のハーネス通過部９２が形成され、２箇所のハーネス通過部９２を通して、図１７、図１８に示すように、ハウジング８５の内側から開口部７４へ２本のハーネス２５が、余長部（２５ａ，２５ｂ、以下同様）を有して引込まれると共に、２本のハーネス２５の先端に開口部７４の内部では結合することができない大きさの雌雄のコネクタ２６（２６ａ，２６ｂ、以下同様）が取付けられる。ここで、一方のハーネス２５は、ハウジング８５の内部に設けられたサーミスタなどのセンサ部９３から延びるものである。また、他方のハーネス２５は、カバー部材８８から延びるものである。そして、ハーネス２５およびコネクタ２６は、コネクタ等固定部材２８（のクリップ本体２７）に固定されると共に、図１９に示すように、コネクタ等固定部材２８ごと開口部７４に設置される。
【００５５】
次に、上記コネクタ等固定部材２８を用いてハーネス２５とコネクタ２６とを固定するための作業工程の構成について説明する。
【００５６】
（構成７）上記（１）ないし（６）のいずれかに記載したクリップ本体２７に対して、以下のような手順によって、ハーネス２５とコネクタ２６とを固定し得るように構成する。
【００５７】
即ち、図２に示すように、ハーネス２５を、挿入口部３３を介してコネクタ収容保持部３２内へ挿入し、次に、ハーネス移動部３４を介してコネクタ収容保持部３２からハーネス収容部３１へと移動するハーネス収容作業を行う。
【００５８】
次に、クリップ本体２７に対し、コネクタ２６を、挿入口部３３を介してコネクタ収容保持部３２内へ挿入するコネクタ収容作業を行う。
【００５９】
そして、これらによって、コネクタ収容保持部３２内に収容保持されたコネクタ２６を閉止部材３５として、ハーネス移動部３４を閉止させることにより、ハーネス収容部３１からハーネス２５を取出せない状態にして、ハーネス２５とコネクタ２６とを、クリップ本体２７に保持させるようにする。
【００６０】
＜作用＞次に、この実施例の作用について説明する。
【００６１】
この実施例によれば、以下のような作用効果を得ることができる。
【００６２】
（作用効果１）  上記（構成１）を備えたことにより、以下のような作用効果を得ることができる。
【００６３】
ハーネス２５とコネクタ２６とを、クリップ本体２７に保持させる場合、先ず、クリップ本体２７に対し、ハーネス２５を、挿入口部３３を介してコネクタ収容保持部３２内へ挿入し、更に、ハーネス移動部３４を介してコネクタ収容保持部３２からハーネス収容部３１へと移動する。これにより、ハーネス２５は、ハーネス収容部３１に収容される。次に、クリップ本体２７に対し、コネクタ２６を、挿入口部３３を介してコネクタ収容保持部３２内へ挿入する。これにより、コネクタ２６は、コネクタ収容保持部３２に収容保持される。この際、コネクタ収容保持部３２内に収容保持されたコネクタ２６が、閉止部材３５となることにより、ハーネス移動部３４が閉止されて、ハーネス収容部３１からハーネス２５を取出せない状態となる。よって、クリップ本体２７に対し、ハーネス２５とコネクタ２６とが確実に保持される。
【００６４】
このように、クリップ本体２７が、ハーネス収容部３１とコネクタ収容保持部３２とを有することにより、ハーネス２５とコネクタ２６とを、決められたスペースにまとまり良く整然と収容することが可能となり、これまで行われていたような、ハーネス２５をまとめて（クリップ本体２７に取付けられた）バンドで縛る作業や、バンドの余りを切断する作業などの、手間のかかる作業をなくすことができるようになるので、ハーネス２５やコネクタ２６に対する固定作業の作業性を大幅に向上することが可能となる。
【００６５】
例えば、自動車などの車両の製造においては、組立の容易化を図るために、各種のサブ部品を予め製作しておくと共に、これらのサブ部品を後から組合せることによって１つの部品や装置などを完成する工法が採用されている。このようなサブ部品どうしを組合せる際には、サブ部品から延ばしてきたハーネス２５どうしを、コネクタ２６を用いて接続することが多い。そして、コネクタ２６の接続後は、コネクタ２６やハーネス２５が他の部品などに接触して異音を発生したり、破損を引き起こしたりすることのないように、コネクタ２６やハーネス２５を固定する必要がある。そして、コネクタ２６やハーネス２５を固定する場合、部品個数や組立工数を削減するために、コネクタ２６やハーネス２５などを固定する手段を、可能な限り簡素なものとすることが望まれている。この実施例によれば、上記したような要求を満足する、簡素で作業性の良いコネクタ等固定部材２８を得ることができる。
【００６６】
（作用効果２）  上記（構成２）を備えたことにより、以下のような作用効果を得ることができる。
【００６７】
コネクタ収容保持部３２とハーネス収容部３１との間を仕切壁５３で仕切ることにより、コネクタ収容保持部３２とハーネス収容部３１とを、ハーネス２５とコネクタ２６とのそれぞれに対して専用のものとすることができるようになる。以て、コネクタ収容保持部３２とハーネス収容部３１との形状や大きさなどを、それぞれ最適化することが可能となり、ハーネス２５とコネクタ２６とを、より効率的にコネクタ収容保持部３２とハーネス収容部３１とに収容し得るようにすることが可能となる。
【００６８】
また、仕切壁５３を設けて、仕切壁５３にハーネス移動部３４を形成することにより、コネクタ２６をコネクタ収容保持部３２内に収容するだけで、仕切壁５３に形成されたハーネス移動部３４を（閉止部材３５としての）コネクタ２６によって閉止する構成となるので、構造的に有利なものとすることができる。
【００６９】
（作用効果３）  上記（構成３）を備えたことにより、以下のような作用効果を得ることができる。
【００７０】
コネクタ収容保持部３２にコネクタ保持部５５を設けたことによって、コネクタ収容保持部３２にコネクタ２６を収容するだけで、コネクタ２６を確実に保持固定させることができるようになる。そして、コネクタ保持部５５を、挿入口部３３に設けられたコネクタ係止爪部５６とした場合には、コネクタ２６をコネクタ係止爪部５６によって係止固定させることができる。このコネクタ係止爪部５６の作用によって、特に、挿入口部３３からのコネクタ２６の飛出しなどを効果的に防止することができる。また、コネクタ保持部５５を、コネクタ収容保持部３２に設けられたコネクタ包持壁部５７とした場合には、コネクタ２６をコネクタ包持壁部５７で包持固定させることができる。このコネクタ包持壁部５７の作用によって、特に、コネクタ収容保持部３２からのコネクタ２６の側方への抜出しなどを効果的に防止することができる。
【００７１】
また、上記構造としたことにより、これまでのようにクリップ本体２７とコネクタ２６との間に固定および位置決めのための複雑なロック部などを設ける必要がなくなるので、その分、部品コストや金型コストを削減することが可能となる。
【００７２】
更に、コネクタ収容保持部３２に設けたコネクタ保持部５５は、コネクタ保持部５５からコネクタ２６を取外すことによって簡単に分解（ハーネス２５やコネクタ２６の取外し）が可能なものとすることができる。このコネクタ保持部５５からのコネクタ２６の取外しは、例えば、コネクタ係止爪部５６の場合には、コネクタ係止爪部５６を撓めてコネクタ２６に対する係止状態を解除すれば良い。また、コネクタ包持壁部５７の場合には、コネクタ包持壁部５７を変形させてコネクタ２６を無理抜きすれば良い。そして、これまでのように、分解するために、（クリップ本体２７に設けられた）バンドを切断する作業などをなくすことができるようになり、また、コネクタ等固定部材２８の再利用も可能となる。
【００７３】
（作用効果４）  上記（構成４）を備えたことにより、以下のような作用効果を得ることができる。
【００７４】
コネクタ収容保持部３２とコネクタ２６との間に設けた位置決め固定部６５により、コネクタ収容保持部３２にコネクタ２６を収容した際に、両者を位置決め状態で固定することができるようになる。
【００７５】
ここで、位置決め固定部６５は、コネクタ収容保持部３２とコネクタ２６との、一方に設けた突起部および他方に設けた凹部などとすることができる。この場合、突起部と凹部とは、互いに対応して嵌合、合致し得るものとすることができる。また、凹部は、凹孔や、凹溝などとすることができる。
【００７６】
これにより、これまでのようにクリップ本体２７とコネクタ２６との間に固定および位置決めのための複雑なロック部などを設ける必要がなくなるので、その分、部品コストや金型コストを削減することが可能となる。
【００７７】
また、（突起部と凹部とによる）位置決め固定部６５は、分解も容易で、しかも、再利用が可能となる。
【００７８】
（作用効果５）  上記（構成５）を備えたことにより、以下のような作用効果を得ることができる。
【００７９】
クリップ本体２７に設けた、ハーネス収容部３１から側方へ張出すハーネス位置規制部６９により、クリップ本体２７から側方へ突出したハーネス２５の側方突出部分の位置を規制することができるようになる。
【００８０】
これにより、ハーネス２５の側方突出部分が、例えば、決められた取付部位７３の外側へはみ出すのを防止することができる。以て、取付部位７３の外側へはみ出たハーネス２５の側方突出部分が、外部の干渉物と接触して断線などの損傷を受けるようなことを確実に防止することができる。
【００８１】
（作用効果６）  上記（構成６）を備えたことにより、以下のような作用効果を得ることができる。
【００８２】
クリップ本体２７に設けた取付部適合形状部８１により、クリップ本体２７を取付部位７３の形状に適合させるようにすることが可能となる。
【００８３】
これによって、例えば、取付部位７３が狭い場合にクリップ本体２７を小型化したり、反対に、取付部位７３が広い場合にクリップ本体２７を大型化したりする必要をなくすことなどが可能となり、標準化された大きさのクリップ本体２７を、取付部適合形状部８１で調整して用いるようにすることが可能となる。
【００８４】
例えば、取付部位７３が、（平面視で）円弧形状をしているような場合に、クリップ本体２７（の中央部）に、取付部位７３の凹形状部分へ向けて突出する突起状の取付部適合形状部８１を設けることにより、クリップ本体２７を円弧形状の取付部位７３に適合させることができる。これによって、ハーネス位置規制部６９を平板状にすることができるようになるので、その分、部品コストや金型コストを削減することが可能となる。また、取付部適合形状部８１を設けることによって、平板状としたハーネス位置規制部６９を取付部位７３の限界近くまで長くすることが可能となり、以て、ハーネス２５の側方突出部分の位置をより広範囲に規制させ得るようにすることが可能となる。
【００８５】
なお、取付部適合形状部８１は、クリップ本体２７（の中央部）に設けた張出部などとすることができる。また、取付部適合形状部８１は、ハーネス２５規制部に対して、設けることなども可能である。
【００８６】
（作用効果７）  上記（構成７）を備えたことにより、上記（作用効果１）〜（作用効果６）と同様の作用効果を得ることができる。また、以下のような作用効果を得ることができる。
【００８７】
より具体的には、例えば、上記した図１４〜図１９に示すように、内部でコネクタ２６（２６ａ，２６ｂ）を結合することができないような狭い開口部７４に対して２本のハーネス２５を接続する場合、２本のハーネス２５を余長部２５ａ，２５ｂを有して狭い開口部７４から引出すと共に、各ハーネス２５（の余長部２５ａ，２５ｂ）の端部にそれぞれ取付けられた雌雄のコネクタ２６（２６ａ，２６ｂ）を開口部７４の外側で嵌合することによって接続し、更に、コネクタ２６とハーネス２５とを、コネクタ等固定部材２８を用いてその開口部７４内に収容して固定することになる。
【００８８】
この場合に、図２０に示すように、（ａ）２本のハーネス２５を、余長部２５ａ，２５ｂを有して狭い開口部７４（図１９など参照）から引出すと共に、２本のハーネス２５の間にクリップ本体２７を配置（２本のハーネス２５がクリップ本体２７の両側部に位置するように）して、開口部７４内にクリップ本体２７を取付ける。（ｂ）開口部７４の外側で雌雄のコネクタ２６（２６ａ，２６ｂ）を結合する。（ｃ）結合されたコネクタ２６を上下方向に半分回転させて２本のハーネス２５をクロスさせつつ、２本のハーネス２５のクロスした部分を、上記したハーネス収容作業によってハーネス収容部３１へと挿入移動する。この際、後壁部３９における、ハーネス収容部３１と対応する部分の両側部などに括れ部６２を設けておくと、この括れ部６２によってハーネス２５の位置が安定する（上下動などし難くなる）ので、よりスムーズにハーネス収容作業を行うことができるようになる。このハーネス収容作業は、余長部２５ａ，２５ｂが十分に納められる（ハーネス位置規制部６９が設けられている場合にはハーネス位置規制部６９の内側にうまく納められる）まで繰返す。（ｄ）上記したコネクタ収容作業によって、コネクタ２６をコネクタ収容保持部３２内へ挿入すると共に、コネクタ収容保持部３２内に収容保持されたコネクタ２６を閉止部材３５として、ハーネス移動部３４を閉止することにより、ハーネス収容部３１からハーネス２５を取出せない状態にして、ハーネス２５とコネクタ２６とを、クリップ本体２７に保持させるようにする。以上により、コネクタ等固定部材２８を用いて簡単で作業性良くハーネス２５とコネクタ２６とを固定することができる。
【００８９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【産業上の利用可能性】
【００９０】
ハーネスやコネクタに対する固定作業の作業性を大幅に向上することができるようになる。
【符号の説明】
【００９１】
２５  ハーネス
２６  コネクタ
２７  クリップ本体
３１  ハーネス収容部
３２  コネクタ収容保持部
３３  挿入口部
３４  ハーネス移動部
３５  閉止部材
５３  仕切壁
５５  コネクタ保持部
５６  コネクタ係止爪部
５７  コネクタ包持壁部
６５  位置決め固定部
６９  ハーネス位置規制部
７３  取付部位
８１  取付部適合形状部
【図１】
2010233371.tif 000003
【図２】
2010233371.tif 000004
【図３】
2010233371.tif 000005
【図４】
2010233371.tif 000006
【図５】
2010233371.tif 000007
【図６】
2010233371.tif 000008
【図７】
2010233371.tif 000009
【図８】
2010233371.tif 000010
【図９】
2010233371.tif 000011
【図１０】
2010233371.tif 000012
【図１１】
2010233371.tif 000013
【図１２】
2010233371.tif 000014
【図１３】
2010233371.tif 000015
【図１４】
2010233371.tif 000016
【図１５】
2010233371.tif 000017
【図１６】
2010233371.tif 000018
【図１７】
2010233371.tif 000019
【図１８】
2010233371.tif 000020
【図１９】
2010233371.tif 000021
【図２０】
2010233371.tif 000022